(57)【要約】【課題】簡単なリモコン操作によって、番組を視聴しながら同時に他局の番組の映像や番組情報を確認することが可能なデジタル放送受信装置を提供する。【解決手段】ユーザーの簡単なリモコン操作によって、視聴中の番組の映像、他局の番組のタイトル一覧の画面、他局の番組のタイトル一覧で選択されている番組の映像および番組詳細情報をひとつの画面の上で表示し、さらにリモコンを操作することによって、他局の番組の映像、番組詳細情報の表示を切り替える。【選択図】図１
2007214868.tif 000002
【特許請求の範囲】
【請求項１】
デジタル放送を選局して映像信号に変換する回路を２つ以上備え、受信した信号から放送中の番組のタイトル情報や詳細情報などを含んだデータパケットを取得する手段を備え、番組のタイトル情報の一覧画面と、番組の詳細情報の画面と、視聴中の番組の映像と、視聴中の番組と異なるチャンネルの映像を並べて、同一映像上に表示させる手段を具備することを特徴とするデジタル放送受信装置。
【請求項２】
リモコンやボタンなど、外部から装置を操作するための入力手段を備え、外部からの操作によって、番組のタイトル情報の一覧画面と、番組の詳細情報の画面と、視聴中の映像と、視聴中の番組と異なるチャンネルの映像を並べて、同一映像上に表示させる手段を具備することを特徴とする、請求項１のデジタル放送受信装置。
【請求項３】
番組タイトルの一覧画面を表示する手段を備え、番組タイトルの一覧画面の中の番組を特定するためのカーソルを表示する手段を備え、番組タイトルの一覧画面上のカーソルが示す番組の詳細情報と、カーソルが示す番組の映像と、視聴中の番組の映像を同一映像上に並べて表示する手段を具備することを特徴とする、請求項２のデジタル放送受信装置。
【請求項４】
リモコンやボタンなど、外部から装置を操作することによって、番組タイトル一覧画面上の番組を指示するカーソルを動かす手段を備え、カーソルの動きに連動して、同一画面上に表示されている番組の詳細情報の内容の表示と、番組の映像を切り替える手段を具備することを特徴とする、請求項３のデジタル放送受信装置。
【請求項５】
リモコンやボタンなど、外部から装置を操作することによって、番組のタイトル情報の一覧画面と、番組の詳細情報の画面と、視聴中の映像と、視聴中の番組と異なるチャンネルの映像を並べて、同一映像上に表示された状態から、視聴中の番組の映像のみを表示する状態に切り替える手段と、カーソルが指示する番組の映像のみを表示する状態に切り替える手段を具備することを特徴とする、請求項４のデジタル放送受信装置。
【発明の詳細な説明】
【技術分野】
【０００１】
本発明は、デジタル放送受信装置に関し、視聴中の番組の映像と、その時刻に放送されている他局の番組の映像と、放送されている番組タイトルの一覧の画面と、他局で放送されている番組の詳細情報の画面を、同一画面上に並べて表示させることが可能な装置に関するものである。
【背景技術】
【０００２】
従来、デジタル放送の番組を視聴した状態で、その時刻に放送されている他局を含んだ番組タイトル情報の一覧を表示させることを可能とする装置がある（例えば、特許文献１参照）。
【０００３】
また、視聴中の番組がＣＭに遷移したときに、ＣＭに遷移したことを自動的に検知してこときっかけに、他局の番組の映像と、元に視聴していた番組映像を同時に表示させ、ＣＭ期間が終了したことをきっかけに、元に視聴していた番組のみの画面に自動的に戻すことを可能とする装置がある。（例えば、特許文献２参照）
【特許文献１】特開平９−２７０６７３号公報
【特許文献２】特開平１０−２８５４８９号公報
【発明の開示】
【発明が解決しようとする課題】
【０００４】
上記特許文献１では、視聴中の番組の内容を確認しながら、同時刻に放送されている他局の番組の映像を表示することができなかったため、視聴中の番組を監視しながら、一時的に他局の番組をザッピングして確認するような場合、他局の番組の映像を表示してしまうと、元に視聴していた番組の映像の監視をすることが出来なかった。また、一旦他局の番組視聴の状態に遷移してしまうと、元に視聴していた番組に復帰したい場面では、再度番組一覧を表示した上で、元に視聴していた番組を選択する必要があり、この手法では、他局の番組を選択したときと同じ程度の操作を行う必要があるため、リモコンの操作回数が多くなり、元に視聴していた番組に戻ることが容易ではなかった。さらに、番組の一覧には他局の番組のタイトルしか表示されないため、番組の情報としては限られた内容しか確認することができなかった。
【０００５】
上記特許文献２では、視聴中の番組の映像と、他局の番組の映像を同時に表示させる条件が、視聴中の番組がＣＭに遷移した時に限られるため、番組の本編を視聴中に、番組の内容が視聴者の趣向に合わないような場面では、他局の番組と視聴中の番組を同時に表示することができなかった。
【課題を解決するための手段】
【０００６】
前記従来の課題を解決するために、本発明のデジタル放送受信装置は、デジタル放送を選局して映像信号に変換する回路を２つ以上備え、受信した信号から放送中の番組のタイトル情報や詳細情報などを含んだデータパケットを取得する手段を備え、番組のタイトル情報の一覧画面と、番組の詳細情報の画面と、視聴中の番組の映像と、視聴中の番組と異なるチャンネルの映像を並べて、同一映像上に表示させる手段を具備することを特徴とする。
【発明の効果】
【０００７】
本発明によれば、視聴中の放送番組の内容が視聴者の趣向に合わないようなときに、視聴者がリモコンを操作することで、容易に一時的に他局の番組の映像、番組のタイトル名やチャンネル名、番組の詳細情報を確認することが可能となる。さらに、視聴中の番組の映像を監視しながら、他局の番組を選局すること手段を提供することで、視聴者が視聴していた番組の内容が、視聴者の趣向に合うような場面に遷移した場合でも、容易に元に視聴していた番組に戻ることが可能となる。
【発明を実施するための最良の形態】
【０００８】
以下本発明を実施するための最良の形態について、図面を参照しながら説明する。
【０００９】
（実施の形態１）
図１は、本発明の実施の形態１にかかるデジタル放送受信装置を示すブロック図である。
【００１０】
デジタル放送受信装置１００は、アンテナから入力されるデジタル放送の信号を、周波数検波および復調を行うデジタル放送選局部Ａ１０１と、１０１で検波、復調された後のトランスポートストリームから映像、音声、ＳＩデータなどデータパケットのフィルタ処理を行うＴＳ処理部Ａ１０３と、１０３でフィルタされた映像、音声のパケットデータを映像、音声のベースバンド信号にデコードするＡＶデコード部Ａ１０５を有する。１０１、１０３、１０５は、デジタル放送をアンテナから受信してから映像、音声のベースバンド信号に変換するまでの一連のデジタル放送のチャンネル選局の主たる部分を担う回路であり、本発明ではこれと同等の機能をもつ回路を２つ以上（図１では２系統、１０２、１０４、１０６）備えることにより、２つ以上の異なるチャンネルの映像、音声を同時にデコードすることを実現する。また、本デジタル放送受信装置は、ＴＳ処理部で選択された番組情報を含むデータパケット（ＳＩデータ）の蓄積を行う番組情報蓄積部１０７と、１０７で蓄積されたＳＩデータから番組一覧またはチャンネル名の一覧画面（後述は番組一覧と称す）のオンスクリーンイメージを生成する番組画面生成部１０８と、１０７で蓄積されたＳＩデータから番組詳細のオンスクリーンイメージを生成する番組詳細画面生成部１０９を備えることで、映像、音声の出力だけでなく、放送中の番組のタイトル名やチャンネル名、番組内容などの、番組に関する情報を映像化する手段を備えている。さらに、本装置は、ＡＶデコーダ１０５、１０６で変換された音声信号をスピーカーへ出力する機能を有しており、音声出力部１１０と、各回路ブロックで生成される映像イメージ（ＡＶデコーダ１０５，１０６で変換された映像信号と、番組一覧画面生成部１０８で生成された番組一覧の画面イメージと、番組詳細画面生成部１０９で生成された番組一覧画面イメージ）を合成して、ひとつの映像画面上に並べて表示させる手段を備えた映像合成部１１１を備える。また、ユーザーからのリモコン、ボタン操作によって受信した信号の解釈を行うユーザーＩ／Ｆ入力部１１２と、１１２で解釈された情報を元に、番組一覧の画面、番組詳細画面の生成を動かす機能を有する。
【００１１】
次に、本受信装置においてデジタル放送の番組の視聴を行うための手段を示す。デジタル放送を視聴するためには視聴者がリモコンまたはボタンを操作することによって、チャンネルの選択が行われる。視聴者が視聴したいチャンネルのリモコン信号がユーザーＩ／Ｆ入力部１１２に入力される。入力された情報は１１２から制御部１１３にユーザーが指定したチャンネルを選局するように伝達される。制御部１１３は入力されたチャンネルの情報に応じて、デジタル放送選局部Ａ１０１に放送信号を捕捉するためのパラメータを設定する。１０１で放送信号が捕捉されるとトランスポートストリーム（ＴＳ）がＴＳ処理部Ａ１０３に入力される。１０３にＴＳが入力されると、制御部１１３は１１２から伝達された選局情報に基づいて、映像、音声、ＳＩ情報を選択するためのパラメータを１０３に設定し、映像、音声のストリームはＡＶデコード部Ａ１０５に入力され、音声、映像のベースバンド信号に変換される。１０５で変換された音声信号は、音声出力部１１０から出力され、スピーカー１１４から音声が流れる。一方映像信号は、ＡＶデコード部Ａ１０５から映像合成回路１１１に出力され、１０５を経て映像信号はモニター・テレビに出力されることになる。
【００１２】
次に、図２は本発明の実施の形態１にかかるデジタル放送受信装置が実現する画面イメージ２００である。ユーザーが番組を視聴している状態から、２００の画面イメージ表示する手段について説明する。２００の画面イメージを表示するためには、リモコンやボタンを操作することによって実現される。リモコン、ボタンからの操作情報は、ユーザーＩ／Ｆ入力部１１２に入力され、制御部１１３に伝達される。続いて制御部１１３は、他局の番組の映像を表示するために、先述のデジタル放送の受像方法と同様に、デジタル放送選局部Ｂ１０２、ＴＳ処理部Ｂ１０４、ＡＶデコードＢ１０６の回路を用いて選局された後、映像信号は映像合成部１１１に出力される。さらに、制御部１１３は番組のタイトル一覧２０２を表示するために、番組情報蓄積部１０７に蓄積済みのＳＩデータからタイトル情報など一覧画面を生成するために必要な情報を取得し、オンスクリーン画面のイメージを生成する。画面イメージの生成を行う際に、ユーザーが番組一覧の中のどの番組の映像を表示しているのかを、容易に認識できるように、制御部１１３は１０２、１０４、１０６の回路でその時に選局されているデジタル放送のチャンネルについて、番組タイトル一覧の画面イメージの中の該当する項目の部分をカーソル表示２０３（該当部分のみ一覧中の他のチャンネルの色と変えるか、デザイン形状を変えるなど）を行う。さらに、制御部１１３は１０８で生成された番組一覧のイメージの中で、カーソルの表示が行われているところの番組に関する詳細情報（番組内容、出演者など）の画面イメージを生成するように、番組詳細画面生成部１０９にカーソルが示している、チャンネル情報を伝達する。
【００１３】
番組詳細画面生成部１０９は制御部１１３から伝達されたチャンネルおよび番組情報を元に、番組情報蓄積部１０７からＳＩデータを抽出し、制御部１１３から指示された番組詳細情報の画面イメージを生成し、映像合成部１１１に出力する。この段階で、ＡＶデコード部Ａ１０５から出力される視聴中の番組の映像信号と、ＡＶデコード部Ｂ１０６から出力される他局の番組の映像信号と、番組一覧画面生成部１０８から番組一覧の画面イメージの映像信号と、１０６から出力されている映像に該当する番組の詳細情報画面の映像信号が、映像合成部１１１に入力されていることになる。さらに制御部１１３は上記の４つの画面を合成するパターンデータを画面合成部１１１に設定することで、画面合成部１１１は２００示す画面イメージになり、テレビ・モニターに映像が表示される。
【００１４】
次に、図２の画面イメージの状態で視聴中の番組を監視した状態で、他局の番組を選局する手段について説明する。リモコン、およびボタン操作のカーソル移動用の操作を行うことによって、番組一覧２０２に表示されるカーソル２０３を移動させるための信号がユーザーＩ／Ｆ入力部に入力され、制御部１１３に伝達される。カーソル移動の情報を受け取った制御部１１３は、番組一覧画面生成部１０８に対してカーソル移動の情報を伝達し、番組一覧２０２のカーソル２０３を伝達された方向に応じて移動させた番組一覧の画面イメージが番組一覧画面生成部１０８にて新たに生成される。１０８で生成された映像は映像合成部１１１に出力され、他の画面と合成された後にテレビに出力される。さらに、制御部１１３は番組一覧画面２０２のカーソルが指示する番組情報を番組一覧画面生成部１０８から取得し、その情報をもとに図１の１０２、１０４、１０６の各回路を用いて先に説明した選局の手順を行うことにより、映像合成部１１１に番組一覧画面２０２のフォーカス移動後に示される番組の映像が出力される。さらに、制御部１１３は番組一覧画面生成部から取得した番組情報を取得し、番組詳細画面生成部１０９に伝達をする。これによって裏番組表２０２のフォーカス移動後に示される番組の詳細情報の画面イメージ２０５が生成され、映像合成部１１１に出力される。以上の手段をもって、画面合成部１１１から出力される映像には、裏番組表のカーソルが移動したときに、カーソルが指示する番組に関する映像、番組詳細内容がテレビ・モニターへ出力されることになる。
【産業上の利用可能性】
【００１５】
本発明のデジタル放送受信装置は、視聴中の番組の映像、他局の番組のタイトル一覧の画面、他局の番組のタイトル一覧で選択されている番組の映像および番組詳細情報をひとつの画面の上で表示する手段を実現することで、デジタル放送を視聴する場面でのチャンネルの選択性の幅が広がり、デジタル放送受信機能を有する民生機器に関して、非常に有用である。
【図面の簡単な説明】
【００１６】
【図１】本発明の実施の形態１におけるデジタル放送受信装置の構成を示すブロック図
【図２】本発明の実施の形態１における映像画面のイメージを示す図
【符号の説明】
【００１７】
１００    デジタル放送受信装置
１０１    デジタル放送受信部Ａ
１０２    デジタル放送受信部Ｂ
１０３    ＴＳ処理部Ａ
１０４    ＴＳ処理部Ｂ
１０５    ＡＶデコード部Ａ
１０６    ＡＶデコード部Ｂ
１０７    番組情報蓄積部
１０８    番組一覧画面生成部
１０９    番組詳細画面生成部
１１０    音声出力部
１１１    映像合成部
１１２    ユーザーＩ／Ｆ入力部
１１３    制御部
２００    映像画面イメージ図
２０１    視聴中番組の映像
２０２    番組タイトルの一覧画面
２０３    番組タイトル一覧画面のカーソル
２０４    番組タイトル一覧画面のカーソルが示す裏番組の映像
２０５    番組タイトル一覧画面のカーソルが示す裏番組の番組詳細情報
【図１】
2007214868.tif 000003
【図２】
2007214868.tif 000004